(57)【要約】【課題】複数の軒樋等からそれぞれ延びる複数の呼び樋を１本の竪樋に合流させる竪樋構造の外観を向上させることができる竪樋連結チーズを提供する。【解決手段】竪樋連結チーズ２０は、上端開口部２５ａを有する上端筒部２２ａ、及び、下端開口部２５ｂを有する下端筒部２２ｂを含み、上端開口部２５ａ及び下端開口部２５ｂに連通する内部空間２３を含む筒部本体２２と、筒部本体２２から側方に突出して設けられ、先端開口部２５ｃが内部空間２３に連通し、かつ、呼び樋１４ａが接続される側方筒部２４とを備える。下端筒部２２ｂは竪樋連結チーズ２０に接続される竪樋パイプ１６ｂの上端部に内挿され、上端筒部２２ａは、同一構成を有する別の竪樋連結チーズの下端筒部２２ｂが内挿されるように構成される。【選択図】図５
2020084679.tif 000002
【特許請求の範囲】
【請求項１】
上端開口部を有する上端筒部、及び、下端開口部を有する下端筒部を含み、前記上端開口部及び下端開口部に連通する内部空間を含む筒部本体と、
前記筒部本体から側方に突出して設けられ、先端開口部が前記内部空間に連通し、かつ、呼び樋が接続される側方筒部と、を備える竪樋チーズであって、
前記下端筒部は前記竪樋連結チーズに接続される竪樋パイプの上端部に内挿され、
前記上端筒部は、同一構成を有する別の竪樋連結チーズの下端筒部が内挿されるように構成される、
竪樋連結チーズ。
【請求項２】
前記下端筒部は、前記竪樋パイプの内径と同じ外径を有するパイプ嵌合部と、このパイプ嵌合部よりも大径であって前記上端筒部の内径と同じ外径を有するチーズ嵌合部とを含む、請求項１に記載の竪樋連結チーズ。
【発明の詳細な説明】
【技術分野】
【０００１】
本開示は、竪樋連結チーズに関する。
【背景技術】
【０００２】
従来、家屋等の軒先に設置される複数の軒樋を１本の竪樋に合流させて排水する樋構造が知られている。例えば、特許文献１には、上端開口部に主竪樋及び副竪樋を左右方向に並んだ状態で挿入し、下端開口部に１本の竪樋を接続する集水器が記載されている。
【先行技術文献】
【特許文献】
【０００３】
【特許文献１】特開２００４−２７７０７号公報
【発明の概要】
【発明が解決しようとする課題】
【０００４】
上記のような集水器では、複数本の竪樋を横並びで接続するため集水器の幅が大きくなり、外観が良くないという問題があった。
【０００５】
本開示の目的は、複数の軒樋等からそれぞれ延びる複数の呼び樋を１本の竪樋に合流させる竪樋構造の外観を向上させることができる竪樋連結チーズを提供することにある。
【課題を解決するための手段】
【０００６】
本開示に係る竪樋連結チーズは、上端開口部を有する上端筒部、及び、下端開口部を有する下端筒部を含み、上端開口部及び下端開口部に連通する内部空間を含む筒部本体と、筒部本体から側方に突出して設けられ、先端開口部が前記内部空間に連通し、かつ、呼び樋が接続される側方筒部とを備える。下端筒部は竪樋連結チーズに接続される竪樋パイプの上端部に内挿され、上端筒部は、同一構成を有する別の竪樋連結チーズの下端筒部が内挿されるように構成される。
【発明の効果】
【０００７】
本開示に係る竪樋連結チーズによれば、複数の軒樋等からそれぞれ延びる複数の呼び樋を１本の竪樋に合流させる竪樋構造の外観を向上させることができる。
【図面の簡単な説明】
【０００８】
【図１】本開示の一実施形態である竪樋連結チーズを用いた竪樋構造の一例を示す図である。
【図２】本実施形態の竪樋連結チーズを示す斜視図である。
【図３】図２におけるＡ−Ａ線断面図である。
【図４】図１中のＢ部の断面図である。
【図５】図４において下側に配置された竪樋連結チーズの断面図である。
【図６】本実施形態の竪樋連結チーズの別の使用形態を示す、図４と同様の断面図である。
【図７】図６において下側に配置された竪樋連結チーズの断面図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、本開示の一実施形態である竪樋連結チーズ２０を用いた竪樋構造１０の一例を示す図である。図１において、竪樋構造１０の下端部側の図示が省略されている。
【００１１】
図１に示すように、家屋１の屋根２ａ，２ｂには、軒樋３ａ，３ｂが設置されている。図１に示す例では、屋根２ｂは、屋根２ａよりも棟軒方向に長く延びている。軒樋３ａは、屋根２ａの軒先において鼻かくし４ａに沿って延在しており、屋根２ａに沿って流れてきた雨水を受け入れる機能を有する。軒樋３ｂは、屋根２ｂの軒先において鼻かくし４ｂに沿って延在しており、屋根２ｂに沿って流れてきた雨水を受け入れる機能を有する。
【００１２】
図１に示す竪樋構造１０は、家屋１の外壁５において外壁部分５ａと外壁部分５ｂとによって形成される凹んだ角部である入隅６ａに上下方向に沿って設置されている。竪樋構造１０は、複数の竪樋連結チーズ２０を含んで構成されており、図１では３つの竪樋連結チーズ２０ａ，２０ｂ，２０ｃが含まれる例が示されている。
【００１３】
なお、竪樋構造１０は、入隅６ａに設置される場合に限定されるものではなく、外壁５において外壁部分５ｂと外壁部分５ｃとによって凸状に形成される出隅６ｂに沿って設置されてもよい。
【００１４】
以下において、３つの竪樋連結チーズを、上から順に、第１竪樋連結チーズ２０ａ、第２竪樋連結チーズ２０ｂ、第３竪樋連結チーズ２０ｃというが、これらを区別せずに総称する場合には適宜に竪樋連結チーズ２０という。竪樋構造１０に含まれる竪樋連結チーズ２０の数は、３つに限定されるものではなく、１つであっても良いし、３つ以外の複数であってもよい。
【００１５】
軒樋３ａは、エルボ１２ａ及び呼び樋１４ａを介して第１竪樋連結チーズ２０ａに接続されている。軒樋３ｂは、エルボ１２ｂ及び呼び樋１４ｂを介して第２竪樋連結チーズ２０ｂに接続されている。なお、図示しないバルコニーや下屋等から雨水を導水する呼び樋１４ｃが第３竪樋連結チーズ２０ｃを介して竪樋構造１０に接続されてもよい。
【００１６】
図１に例示する竪樋構造１０は、３つの竪樋連結チーズ２０ａ，２０ｂ，２０ｃと、竪樋パイプ１６ａ，１６ｂ，１６ｃと、蓋部材１８（図２参照）とを含む。これらの部材は、いずれも、例えば塩化ビニル等の合成樹脂によって好適に形成されている。
【００１７】
竪樋パイプ１６ａ，１６ｂ，１６ｃは、いずれも、例えば円筒状のパイプで構成される。ただし、竪樋パイプ１６ａ，１６ｂ，１６ｃは、角型パイプであってもよい。竪樋パイプ１６ａ，１６ｂ，１６ｃのうち最も短い竪樋パイプ１６ａは、第１竪樋連結チーズ２０ａと第２竪樋連結チーズ２０ｂとを接続している。竪樋パイプ１６ｂは、第２竪樋連結チーズ２０ｂと第３竪樋連結チーズ２０ｃとを接続している。竪樋パイプ１６ｃは、上端部が第３竪樋連結チーズ２０ｃに接続されている。
【００１８】
図２は、本実施形態の第１竪樋連結チーズ２０ａを示す斜視図である。図３は、図２におけるＡ−Ａ線断面図である。図４は、図１中のＢ部の断面図である。
【００１９】
図２ないし図４に示すように、第１竪樋連結チーズ２０ａは、筒部本体２２と、側方筒部２４とを一体に備える。筒部本体２２は、略円筒状に形成されており、上端筒部２２ａと下端筒部２２ｂとを含む。上端筒部２２ａは上端開口部２５ａを有しており、下端筒部２２ｂは下端開口部２５ｂを有している。筒部本体２２の内側には内部空間２３が形成されており、内部空間２３は上述した上端開口部２５ａ及び下端開口部２５ｂに連通している。
【００２０】
蓋部材１８は、筒部本体２２の上端開口部２５ａに被せて取り付けられている。本実施形態では蓋部材１８には貫通孔１９が形成されている。この貫通孔１９は、大気に連通する通気孔として機能し、これにより竪樋構造１０の内部が負圧にならないようにして円滑な流水を阻害しないように構成されている。
【００２１】
側方筒部２４は、筒部本体２２の外周面から側方に突出して設けられている。側方筒部２４の先端開口部２５ｃは、筒部本体２２の内部空間２３に連通し、かつ、第１呼び樋１４ａが接続されている。本実施形態では、側方筒部２４は角形の筒状をなして形成されており、これに対応して呼び樋１４ａもまた角形パイプによって形成されている。ただし、側方筒部２４は、丸形の筒状に形成されてもよく、この場合には呼び樋１４ａとして丸形パイプが用いられる。
【００２２】
側方筒部２４は、筒部本体２２の軸方向と直交する方向に対して、所定角度θ（例えば３度〜１０度程度）だけ斜め上方に傾斜して形成されてもよい。これにより、下り傾斜姿勢で設置される呼び樋１４ａの端部を先端開口部２５ｃに内挿して接続し易くなる。ただし、これに限定されるものではなく、側方筒部２４は、筒部本体２２の軸方向と直交する方向と平行に形成されてもよい。
【００２３】
第１竪樋連結チーズ２０ａの筒部本体２２において、下端筒部２２ｂは、竪樋パイプ１６ａの内径と同じ外径ｄ１を有するパイプ嵌合部２６ａと、このパイプ嵌合部２６ａよりも大径であって筒部本体２２の上端筒部２２ａの内径と同じ外径ｄ２を有するチーズ嵌合部２６ｂとを含む。下端筒部２２ｂの外周面には、パイプ嵌合部２６ａとチーズ嵌合部２６ｂとの間に、竪樋パイプ１６ａの厚みに相当する段部２８が形成されている。これにより、パイプ嵌合部２６ａに竪樋パイプ１６ａが接続されたとき、竪樋パイプ１６ａは上記段部２８に当接して位置決めされ、このときチーズ嵌合部２６ｂの外周面と竪樋パイプ１６ａの外周面とは面一となるように構成されている。
【００２４】
下端筒部２２ｂ以外の筒部本体２２は、下端筒部２２ｂのチーズ嵌合部２６ｂよりも大径に形成されている。そのため、下端筒部２２ｂのチーズ嵌合部２６ｂは、段部２９を介して筒部本体２２の中間部分に接続されている。この段部２９は、後述するように竪樋連結チーズ２０同士が連結されたとき、筒部本体２２の上端筒部２２ａの先端が当接することによって上端筒部２２ａの嵌合位置を決める機能を果たす。
【００２５】
竪樋連結チーズ２０において筒部本体２２の上端筒部２２ａは、同一構成を有する別の竪樋連結チーズ２０の下端筒部２２ｂが内挿されるように構成されている。より詳しくは、筒部本体２２の上端筒部２２ａの内径は、筒部本体２２の下端筒部２２ｂのチーズ嵌合部２６ｂの外径ｄ２と同じに形成されている。これにより、竪樋連結チーズ２０同士を接続したとき、上側に位置する竪樋連結チーズ２０の下端筒部２２ｂのチーズ嵌合部２６ｂが、下側に位置する竪樋連結チーズ２０の上端筒部２２ａに略隙間無く嵌合した状態で連結されるように構成されている。これについては、図６及び図７を参照して後述する。
【００２６】
ここで、パイプ嵌合部２６ａの外径ｄ１が竪樋パイプ１６ａの内径と同じとは、パイプ嵌合部２６ａが竪樋パイプ１６ａの上端部に内挿されたときに略隙間無く嵌合される寸法関係になっていれば足りるので、必ずしも完全に同一でなくてもよく僅かに異なってもよい。このことは、チーズ嵌合部２６ｂの外径ｄ２が筒部本体２２の上端筒部２２ａの内径と同じであることについても同様である。
【００２７】
筒部本体２２の下端筒部２２ｂが上記のようなパイプ嵌合部２６ａを有することで、図３に示すように、筒部本体２２の下端筒部２２ｂは竪樋連結チーズ２０ａに接続される竪樋パイプ１６ａの上端部に内挿されたときに略隙間無く嵌合した状態に接続される。
【００２８】
図５は、図４において下側に配置された第２竪樋連結チーズ２０ｂの断面図である。図４及び図５に示すように、竪樋パイプ１６ａの下端部は、第２竪樋連結チーズ２０ｂの筒部本体２２の上端筒部２２ａに内挿されて接続されている。第２竪樋連結チーズ２０ｂは、上述した第１竪樋連結チーズ２０ａと同一構成を有している。したがって、竪樋パイプ１６ａの下端部は、第２竪樋連結チーズ２０ｂの上端筒部２２ａに内挿されて略隙間無く嵌合した状態に接続される。
【００２９】
また、第２竪樋連結チーズ２０ｂの下端筒部２２ｂを構成するパイプ嵌合部２６ａは、竪樋パイプ１６ｂの上端部に内挿されて略隙間無く嵌合した状態に接続される。そして、第２竪樋連結チーズ２０ｂの側方筒部２４には、軒樋３ｂ（図１参照）に対応した呼び樋１４ｂの端部が内挿されて接続される。
【００３０】
上述したように、本実施形態の竪樋連結チーズ２０を用いることによって、２つの軒樋３ａ，３ｂからそれぞれ延びる２本の呼び樋１４ａ，１４ｂを１本の竪樋構造１０に合流させる場合に、特許文献１に記載の集水器のように横方向の幅が広くなることがなく、外観を向上させることができる。このことは、３つ以上の竪樋連結チーズ２０を用いて３本以上の呼び樋を合流させた竪樋構造の場合でも同様である。
【００３１】
次に、図６及び図７を参照して、竪樋連結チーズ同士を連結して用いる場合について説明する。図６は、本実施形態の竪樋連結チーズ２０ａ，２０ｂの別の使用形態を示す、図４と同様の断面図である。図７は、図６において下側に配置された第２竪樋連結チーズ２０ｂの断面図である。
【００３２】
図６及び図７に示すように、竪樋構造１０Ａでは、第１竪樋連結チーズ２０ａと第２竪樋連結チーズ２０ｂとが、竪樋パイプ１６ａを介することなく直接に連結されている。より詳しくは、第２竪樋連結チーズ２０ｂの上端筒部２２ａは、同一構成を有する第１竪樋連結チーズ２０ａの下端筒部２２ｂが内挿されている。筒部本体２２の下端筒部２２ｂを構成するチーズ嵌合部２６ｂの外径ｄ２は、筒部本体２２の上端筒部２２ａの内径と同じである。このため、第２竪樋連結チーズ２０ｂの上端筒部２２ａは、第１竪樋連結チーズ２０ａの下端筒部２２ｂを構成するチーズ嵌合部２６ｂに略隙間無く嵌合された状態に接続される。なお、竪樋構造１０Ａの他の構成は、上述した竪樋構造１０と同様である。
【００３３】
上述したように本実施形態の竪樋連結チーズ２０は、上端開口部２５ａを有する上端筒部２２ａ、及び、下端開口部２５ｂを有する下端筒部２２ｂを含み、上端開口部２５ａ及び下端開口部２５ｂに連通する内部空間２３を含む筒部本体２２と、筒部本体２２から側方に突出して設けられ、先端開口部２５ｃが内部空間２３に連通し、かつ、呼び樋１４ａ又は１４ｂが接続される側方筒部２４とを備える。下端筒部２２ｂは、第２竪樋連結チーズ２０ｂに接続される竪樋パイプ１６ａの上端部に内挿され、上端筒部２２ａは、同一構成を有する第１竪樋連結チーズ２０ａの下端筒部２２ｂが内挿されるように構成される。
【００３４】
この構成によれば、２つの軒樋３ａ，３ｂからそれぞれ延びる２本の呼び樋１４ａ，１４ｂを１本の竪樋構造１０に合流させる場合に、特許文献１に記載の集水器のように横方向の幅が広くなることがなく、外観を向上させることができる。このことは、３つ以上の竪樋連結チーズ２０を用いて３本以上の呼び樋を合流させた竪樋構造の場合でも同様である。
【００３５】
また、本実施形態の竪樋連結チーズ２０において、下端筒部２２ｂは、竪樋パイプ１６ｂの内径と同じ外径ｄ１を有するパイプ嵌合部２６ａと、このパイプ嵌合部２６ａよりも大径であって上端筒部２２ａの内径と同じ外径ｄ２を有するチーズ嵌合部２６ｂとを含む。これにより、下端筒部２２ｂが竪樋パイプ１６ｂに接続される場合と、別の竪樋連結チーズ２０に接続される場合のいずれの場合でも、下端筒部２２ｂのパイプ嵌合部２６ａ又はチーズ嵌合部２６ｂに嵌合した状態で接続されるので、竪樋構造の接続状態が安定したものになる。
【００３６】
なお、本開示に係る竪樋連結チーズは、上述した実施形態及びその変形例に限定されるものではなく、本願の特許請求の範囲に記載された事項の範囲内において種々の変更や改良が可能であることは勿論である。
【符号の説明】
【００３７】
１  家屋、２ａ，２ｂ  屋根、３ａ，３ｂ  軒樋、４ａ，４ｂ  鼻かくし、５  外壁、５ａ，５ｂ，５ｃ  外壁部分、６ａ  入隅、６ｂ  出隅、１０，１０Ａ  竪樋構造、１２ａ，１２ｂ  エルボ、１４ａ，１４ｂ、１４ｃ  呼び樋、１６ａ，１６ｂ，１６ｃ  竪樋パイプ、１８  蓋部材、１９  貫通孔、２０  竪樋連結チーズ、２０ａ  第１竪樋連結チーズ、２０ｂ  第２竪樋連結チーズ、２０ｃ  第３竪樋連結チーズ、２２  筒部本体、２２ａ  上端筒部、２２ｂ  下端筒部、２３  内部空間、２４  側方筒部、２５ａ  上端開口部、２５ｂ  下端開口部、２５ｃ  先端開口部、２６ａ  パイプ嵌合部、２６ｂ  チーズ嵌合部、２８，２９  段部。
【図１】
2020084679.tif 000003
【図２】
2020084679.tif 000004
【図３】
2020084679.tif 000005
【図４】
2020084679.tif 000006
【図５】
2020084679.tif 000007
【図６】
2020084679.tif 000008
【図７】
2020084679.tif 000009